(57)【要約】【課題】ビンディング、スノーボードの柔軟性を十分に発揮させ、ビンディング、スノーボード購入者の企図する本来的な柔軟性及びスノーボードへの足の力の伝達による操作性並びに膝への負担の軽減による快適性を同時に確保する。【解決手段】プレート本体１１を底部１１aと、側面部１１ｂと、フランジ部１１ｃとで構成して、凹状にすることにより、プレート本体１１の底部１１ａの厚さを薄くして、プレート１の柔軟性を高くする。プレート本体１１の底部１１ａの薄板化によって、スノーボードに取り付けるためのねじの長さを短くして、ねじによりプレート１の柔軟性が阻害されることを防止する。【選択図】図１
2018175271.tif 000002
【特許請求の範囲】
【請求項１】
ビンディングの底部に形成され周縁に歯部を有する開口部に収容されるとともに、ねじでスノーボードに固定されることにより前記スノーボードに前記ビンディングを押さえて取り付けるスノーボードビンディング用プレートであって、
前記ねじが挿通する挿通孔が形成された円形の底部と、該底部の周縁に設けられた側面部と、該側面部の上端縁に設けられ半径方向の外方に突出したフランジ部と、該フランジ部の下側に設けられるとともに前記ビンディングの歯部と噛合する歯部とを有することを特徴とするスノーボードビンディング用プレート。
【請求項２】
上面が前記フランジ部の下面に取り付けられ、下面に前記スノーボードビンディング用プレートの歯部が形成されたリングを有し、
前記フランジ部の外周縁は、半径方向の外側に向かって斜め上方に凸となる曲面状に形成されたことを特徴とする請求項１に記載のスノーボードビンディング用プレート。
【請求項３】
前記フランジ部の下側に取り付けられ、下面に前記スノーボードビンディング用プレートの歯部が形成されたリングを有し、
前記フランジ部は、半径方向の外側に向かって下方に傾斜したことを特徴とする請求項１に記載のスノーボードビンディング用プレート。
【請求項４】
前記フランジ部の下面に前記スノーボードビンディング用プレートの歯部が形成されたことを特徴とする請求項１に記載のスノーボードビンディング用プレート。
【請求項５】
前記側面部は、半径方向の外側に向かって上方に傾斜し、
前記ビンディングの開口部の内周面は前記スノーボードに対して垂直であることを特徴とする請求項１または４に記載のスノーボードビンディング用プレート。
【請求項６】
前記側面部は、半径方向の外側に向かって上方に傾斜し、
前記ビンディングの開口部の内周面は前記開口部の半径方向の外側に向かって上方に傾斜し、傾斜角が前記側面部の傾斜角よりも小さいことを特徴とする請求項１または４に記載のスノーボードビンディング用プレート。
【請求項７】
前記スノーボードビンディング用プレートの歯部の山部は、半径方向の最外面の下側の頂点から根本側の最上端まで内側に向かって上方に傾斜した傾斜面を有し、
前記ビンディングの歯部の谷部は、前記スノーボードビンディング用プレートの歯部の山部の傾斜面に当接するともに、前記開口部の半径方向の最内面の最上端から最外側の最下部まで外側に向かって下方に傾斜した傾斜面を有することを特徴とする請求項１乃至６のいずれか１項に記載のスノーボードビンディング用プレート。
【請求項８】
前記底部、前記側面部及び前記フランジ部の少なくともいずれか一つに形成されたスリットを有することを特徴とする請求項１乃至７のいずれか１項に記載のスノーボードビンディング用プレート。
【請求項９】
前記リングに形成されたスリットを有することを特徴とする請求項２または３に記載のスノーボードビンディング用プレート。
【請求項１０】
前記スリットは、放射状に設けられたことを特徴とする請求項８または９に記載のスノーボードビンディング用プレート。
【請求項１１】
前記スリットは、長手方向が前記スノーボードの長手方向であることを特徴とする請求項８または９に記載のスノーボードビンディング用プレート。
【請求項１２】
前記スリットは、長手方向が前記スノーボードの幅方向であることを特徴とする請求項８または９に記載のスノーボードビンディング用プレート。
【請求項１３】
前記底部の中央に形成された孔を有することを特徴とする請求項１乃至１２のいずれか１項に記載のスノーボードビンディング用プレート。
【請求項１４】
前記底部の周縁側から中心に向かって形成された複数のリブを有することを特徴とする請求項１乃至１３のいずれか１項に記載のスノーボードビンディング用プレート。
【請求項１５】
前記リブは、放射状に設けられたことを特徴とする請求項１４に記載のスノーボードビンディング用プレート
【請求項１６】
前記底部に形成され、Ｘ状に交差された形状のリブを有すること特徴とする請求項１乃至１２のいずれか１項に記載のスノーボードビンディング用プレート。
【請求項１７】
前記リブのＸ状に交差された部分に孔が形成されたことを特徴とする請求項１６に記載のスノーボードビンディング用プレート。
【請求項１８】
前記底部に形成され、長手方向が前記スノーボードの長手方向であるリブを有することを特徴とする請求項１乃至１３のいずれか１項に記載のスノーボードビンディング用プレート。
【請求項１９】
前記底部に形成され、長手方向が前記スノーボードの幅方向であるリブを有することを特徴とする請求項１乃至１３のいずれか１項に記載のスノーボードビンディング用プレート。
【請求項２０】
前記底部、前記側面部及び前記フランジ部は、薄板からなることを特徴とする請求項１乃至１９のいずれか１項に記載のスノーボードビンディング用プレート。
【請求項２１】
前記底部、前記側面部及び前記フランジ部の材料が、純チタン、チタン合金、ステンレス鋼またはマルエージング鋼のいずれかであることを特徴とする請求項１乃至２０のいずれか１項に記載のスノーボードビンディング用プレート。
【請求項２２】
前記スノーボードビンディング用プレートの歯部の材料が、純チタン、チタン合金、ステンレス鋼またはマルエージング鋼のいずれかであることを特徴とする請求項２１に記載のスノーボードビンディング用プレート。
【発明の詳細な説明】
【技術分野】
【０００１】
本発明は、スノーボードにビンディングを取り付けるためのスノーボードビンディング用プレートに関する。
【背景技術】
【０００２】
スノーボードにブーツを装着するのにビンディングが用いられる。すなわちビンディングを介してブーツはスノーボードに装着される。このビンディングをスノーボードに取り付けるのに例えば特許文献１に示すようなプレートが用いられることがある。
【０００３】
このプレートは、ビンディングを取り付けるために硬く、所定の厚さを有する円盤状のプレートであり、底面の周縁には周方向に歯部が形成されている。またこのプレートはスノーボードに固定するためのねじが挿通される挿通孔を複数箇所に有する。このプレートによりスノーボードに取り付けられるビンディングの底部は円形の開口部を有し、開口部の周縁にはプレートの歯部が噛合する歯部が周方向に形成されている。なお、この開口部は、プレートの径に対応した径に形成され、プレートの所定の厚さに対応した深さに形成されている。
【０００４】
このプレートによりビンディングをスノーボードに取り付けるには、まずビンディングの底部の開口部にプレートを所望の角度で歯部同士を噛合させて載置する。そして、ねじをプレートの挿通孔を挿通させてスノーボードに形成されたねじ穴に螺合させる。これによりプレートがビンディングの底部を上から押さえ込みビンディングがスノーボードに取り付けられる。
【先行技術文献】
【特許文献】
【０００５】
【特許文献１】特開２００７−１４３７２７号公報
【発明の概要】
【発明が解決しようとする課題】
【０００６】
しかしながら、上述した特許文献１に開示されたプレートは、硬く、所定の厚さを有する円盤状のプレートであり、円盤状のプレートの所定の厚さに対応した比較的長く、硬い部材からなるねじを用いてこのプレートをスノーボードに固定しているために、スノーボードで滑走する際にプレートの柔軟性が阻害されてしまう。
【０００７】
プレートの柔軟性が阻害されることにより、ひいてはビンディング、スノーボードの本来であれば必要な柔軟性をも奪ってしまい、ビンディング、スノーボードが本来の十分な設計通りの柔軟性を発揮することができなくなってしまうという隠れた問題があった。
【０００８】
本発明は、上記実情に鑑みてなされたものであり、ビンディング、スノーボードの柔軟性を十分に発揮させることができるスノーボードビンディング用プレートを提供することを目的とする。
【課題を解決するための手段】
【０００９】
上記目的を達成するため、本発明のスノーボードビンディング用プレートは、ビンディングの底部に形成され周縁に歯部を有する開口部に収容されるとともに、ねじでスノーボードに固定されることにより前記スノーボードに前記ビンディングを押さえて取り付けるスノーボードビンディング用プレートであって、
前記ねじが挿通する挿通孔が形成された円形の底部と、該底部の周縁に設けられた側面部と、該側面部の上端縁に設けられ半径方向の外方に突出したフランジ部と、該フランジ部の下側に設けられるとともに前記ビンディングの歯部と噛合する歯部とを有することを特徴とする。
【００１０】
上面が前記フランジ部の下面に取り付けられ、下面に前記スノーボードビンディング用プレートの歯部が形成されたリングを有し、
前記フランジ部の外周縁は、半径方向の外側に向かって斜め上方に凸となる曲面状に形成されるようにしてもよい。
【００１１】
前記フランジ部の下側に取り付けられ、下面に前記スノーボードビンディング用プレートの歯部が形成されたリングを有し、
前記フランジ部は、半径方向の外側に向かって下方に傾斜するようにしてもよい。
【００１２】
前記フランジ部の下面に前記スノーボードビンディング用プレートの歯部が形成されるようにしてもよい。
【００１３】
前記側面部は、半径方向の外側に向かって上方に傾斜し、
前記ビンディングの開口部の内周面は前記スノーボードに対して垂直であるようにしてもよい。
【００１４】
前記側面部は、半径方向の外側に向かって上方に傾斜し、
前記ビンディングの開口部の内周面は前記開口部の半径方向の外側に向かって上方に傾斜し、傾斜角が前記側面部の傾斜角よりも小さくなるようにしてもよい。
【００１５】
前記スノーボードビンディング用プレートの歯部の山部は、半径方向の最外面の下側の頂点から根本側の最上端まで内側に向かって上方に傾斜した傾斜面を有し、
前記ビンディングの歯部の谷部は、前記スノーボードビンディング用プレートの歯部の山部の傾斜面に当接するともに、前記開口部の半径方向の最内面の最上端から最外側の最下部まで外側に向かって下方に傾斜した傾斜面を有するようにしてもよい。
【００１６】
前記底部、前記側面部及び前記フランジ部の少なくともいずれか一つに形成されたスリットを有するようにしてもよい。
【００１７】
前記リングに形成されたスリットを有するようにしてもよい。
【００１８】
前記スリットは、放射状に設けられるようにしてもよい。
【００１９】
前記スリットは、長手方向が前記スノーボードの長手方向であるようにしてもよい。
【００２０】
前記スリットは、長手方向が前記スノーボードの幅方向であるようにしてもよい。
【００２１】
前記底部の中央に形成された孔を有するようにしてもよい。
【００２２】
前記底部の周縁側から中心に向かって形成された複数のリブを有するようにしてもよい。
【００２３】
前記リブは、放射状に設けられるようにしてもよい。
【００２４】
前記底部に形成され、Ｘ状に交差された形状のリブを有するようにしてもよい。
【００２５】
前記リブのＸ状に交差された部分に孔が形成されるようにしてもよい。
【００２６】
前記底部に形成され、長手方向が前記スノーボードの長手方向であるリブを有するようにしてもよい。
【００２７】
前記底部に形成され、長手方向が前記スノーボードの幅方向であるリブを有するようにしてもよい。
【００２８】
前記底部、前記側面部及び前記フランジ部は、薄板からなるようにしてもよい。
【００２９】
前記底部、前記側面部及び前記フランジ部の材料が、純チタン、チタン合金、ステンレス鋼またはマルエージング鋼のいずれかであるようにしてもよい。
【００３０】
前記スノーボードビンディング用プレートの歯部の材料が、純チタン、チタン合金、ステンレス鋼またはマルエージング鋼のいずれかであるようにしてもよい。
【発明の効果】
【００３１】
本発明によれば、ビンディング、スノーボードの柔軟性を十分に発揮させることができるスノーボードビンディング用プレートを提供することができる。
【図面の簡単な説明】
【００３２】
【図１】本発明の第１の実施形態に係るスノーボードビンディング用プレートの構成を示す斜視図である。
【図２】第１の実施形態に係るスノーボードビンディング用プレートを用いてビンディングがスノーボードに取り付けられた状態を示す斜視図である。
【図３】図１に示したスノーボードビンディング用プレートが有するプレート本体の構成を示す平面図である。
【図４】（Ａ）は図１に示したスノーボードビンディング用プレートが有するリングの構成を示す平面図であり、（Ｂ）は図１に示したスノーボードビンディング用プレートが有するリングの構成を示す斜視図である。
【図５】（Ａ）は第１の実施形態に係るスノーボードビンディング用プレートを用いてビンディングをスノーボードに取り付ける前の状態を示す一部断面概略説明図であり、（Ｂ）は第１の実施の形態に係るスノーボードビンディング用プレートを用いてビンディングをスノーボードに取り付けた後の状態を示す一部断面概略説明図である。
【図６】第１の実施形態に係るスノーボードビンディング用プレートを用いてビンディングがスノーボードに取り付けられた状態を示す平面図である。
【図７】第１の実施形態の第１の変形例に係るスノーボードビンディング用プレートを用いてビンディングがスノーボードに取り付けられた状態を示す平面図である。
【図８】第１の実施形態の第２の変形例に係るスノーボードビンディング用プレートを用いてビンディングがスノーボードに取り付けられた状態を示す平面図である。
【図９】第１の実施形態の第３の変形例に係るスノーボードビンディング用プレートを用いてビンディングがスノーボードに取り付けられた状態を示す平面図である。
【図１０】第１の実施形態の第４の変形例に係るスノーボードビンディング用プレートを用いてビンディングがスノーボードに取り付けられた状態を示す平面図である。
【図１１】第１の実施形態の第５の変形例に係るスノーボードビンディング用プレートを用いてビンディングがスノーボードに取り付けられた状態を示す平面図である。
【図１２】第１の実施形態の第６の変形例に係るスノーボードビンディング用プレートの構成を示す斜視図である。
【図１３】第１の実施形態の第７の変形例に係るスノーボードビンディング用プレートが有するリングの構成を示す斜視図である。
【図１４】（Ａ）は第２の実施形態に係るスノーボードビンディング用プレートを用いてビンディングをスノーボードに取り付ける前の状態を示す一部断面概略説明図であり、（Ｂ）は第２の実施の形態に係るスノーボードビンディング用プレートを用いてビンディングをスノーボードに取り付けた後の状態を示す一部断面概略説明図である。
【図１５】（Ａ）は第３の実施形態に係るスノーボードビンディング用プレートを用いてビンディングをスノーボードに取り付ける前の状態を示す一部断面概略説明図であり、（Ｂ）は第３の実施の形態に係るスノーボードビンディング用プレートを用いてビンディングをスノーボードに取り付けた後の状態を示す一部断面概略説明図である。
【図１６】（Ａ）は第４の実施形態に係るスノーボードビンディング用プレートを用いてビンディングをスノーボードに取り付ける前の状態を示す一部断面概略説明図であり、（Ｂ）は第４の実施の形態に係るスノーボードビンディング用プレートを用いてビンディングをスノーボードに取り付けた後の状態を示す一部断面概略説明図である。
【図１７】第４の実施形態に係るスノーボードビンディング用プレートの歯部が有する傾斜面がビンディングの歯部の傾斜面に当接された状態を示す一部概略斜視図である。
【発明を実施するための形態】
【００３３】
本発明の実施の形態に係るスノーボードビンディング用プレートについて、以下図面を参照して説明する。
【００３４】
（第１の実施形態）
第１の実施形態に係るスノーボードビンディング用プレートについて、図１〜図６を参照して説明する。スノーボードビンディング用プレート１（以下、「プレート」という。）は、図２及び図６に示すように、ブーツをスノーボード３に装着するために用いられるビンディング２をスノーボード３に押さえて取り付けるためのものである。なお、図６及び後述する図７〜図１１において、Ｘ方向はスノーボード３の長手方向(滑走方向)を示し、Ｙ方向はスノーボード３の幅方向を示している。
【００３５】
プレート１は、図１に示すように、プレート本体１１に歯部１２aを有するリング１２が取り付けられて構成される。プレート本体１１は、図１及び図３に示すように、円形の底部１１aと、底部１１ａの周縁に設けられた側面部１１ｂと、側面部１１ｂの上端縁に設けられ外方に突出したフランジ部１１ｃとから構成される。プレート本体１１の材料としては、例えば純チタン、チタン合金、ステンレス鋼、マルエージング鋼等が用いられる。プレート本体１１の厚さは、２ｍｍ以下であることが好ましく０．３ｍｍ程度まで薄くすることが可能であるが、０．６ｍｍであることがより好ましい。
【００３６】
円形の底部１１aには、プレート１をスノーボード３に固定するためのねじ４が挿通される複数のねじ挿通孔１１１aと、リブ１１２aとが形成されている。ねじ挿通孔１１１aは、底部１１aに周方向に等間隔で４つ配置されている。ねじ挿通孔１１１aは、同一円周上に円弧状に形成されており、このためプレート１をねじ４でスノーボード３に取り付ける角度を調整することができる。
【００３７】
リブ１１２aは、滑走者であるスノーボーダーによりプレート１を介してビンディング２及びスノーボード３に力を効率的に伝えるためのものである。プレート１の柔軟性は保たれたままリブ１１２aの長手方向にのみ硬くなり、その方向にスノーボーダーはプレート１を介してビンディング２及びスノーボード３に力を効率的に伝えることができる。
【００３８】
リブ１１２aは底部１１aの周縁から中心に向かって形成されている。リブ１１２aは底部１１aの周縁側へと裾野が広がった形状になっている。リブ１１２aは周方向の４か所に等間隔に離間されて２つずつ計８つ配置されている。
【００３９】
フランジ部１１ｃの外周縁は、図５に示すように、プレート１の半径方向の外側に向かって、かつ、斜め上方に凸となる曲面状に形成されている。フランジ部１１ｃには、略Ｖ字状のスリット１１１ｃが等間隔に離間されて４つ形成されている。スリット１１１ｃは、プレート１を介してビンディング２及びスノーボード３の柔軟性を向上させるとともに、プレート１の歯部１２ａと後述するビンディング２の歯部２１ａの噛合状態を良好にするために形成されている。なお、スリット１１１ｃは、プレート１の周方向において、２つずつ形成されたリブ１１２ａ，１１２ａの間に位置するように配置されている。このようにスリット１１１ｃとリブ１１２ａ，１１２ａとがプレート１に配置されることにより、リブ１１２ａによる硬さの影響と、スリット１１ｃによる柔軟性の影響とを調整することが可能になる。
【００４０】
また、フランジ部１１ｃには、後述するリング１２の小突起１２ｂが嵌合される嵌合孔１１２ｃが周方向に沿って形成されている。側面部１１ｂは、プレート１の半径方向の外側に向かって上方に傾斜している。
【００４１】
リング１２には、図１及び図４(Ｂ)に示すように、下面に鋸歯状の歯部１２ａが周方向に連続して形成されている。リング１２の上面には、図１及び図４に示すように、周方向に沿って複数の小突起１２ｂと、周方向に沿って等間隔に離間されて４つの突起１２ｃとが形成されている。突起１２ｃは、プレート本体１１の略Ｖ字状のスリット１１１ｃに嵌合するような形状に形成されている。リング１２の上面は、図５に示すように、プレート本体１１のフランジ部１１ｃの形状に合わせて形成されており、外周縁がプレート１の半径方向の外側に向かって、かつ、斜め上方に凸となる曲面状に形成されている。また、リング１２の内周面も、プレート本体１１の側面部１１ｂの形状に合わせて形成されており、プレート１の半径方向の外側に向かって上方に傾斜して形成されている。なお、リング１２の材料としては、例えばマグネシウム合金、合成樹脂等が用いられる。
【００４２】
ここで、プレート１を用いてビンディング２をスノーボード３に取り付ける方法について図５等を参照して説明する。ビンディング２の底部には、図５に示すように、プレート１を収容する円形の開口部２ａが形成されている。開口部２ａは、プレート１の径に対応した径に形成されている。開口部２ａの周縁には、プレート１の歯部１２ａと噛合する鋸歯状の歯部２１ａが周方向に連続して形成されている。また、スノーボード３には、ねじ４が螺合する複数のねじ穴３ａが形成されている。
【００４３】
まず、図１に示すように、リング１２の小突起１２ｂをプレート本体１１の嵌合孔１１２ｃに嵌合させ、リング１２の突起１２ｃをプレート本体１１のスリット１１１ｃに嵌合させることにより、リング１２をプレート本体１１のフランジ部１１ｃの下面側に取り付ける。
【００４４】
次に、プレート１の歯部１２ａとビンディング２の開口部２ａの周縁の歯部２１ａとを噛合させるようにして、プレート１をビンディング２の底部の開口部２ａに収容させる。なお、プレート１をビンディング２の開口部２ａに収容する角度を調整して収容することによって、ビンディング２をスノーボード３に所望の角度で取り付けることができる。
【００４５】
そして、図５（Ｂ）に示すように、ねじ４をワッシャ４ａとプレート１のねじ挿通孔１１１ａとに挿通させて、スノーボード３のねじ穴３ａに螺合することにより、プレート１及びビンディング２がスノーボード３に取り付けられる。
【００４６】
なお、スノーボード３に対するプレート１の取付角度を調整したい場合には、ビンディング２の位置を固定したままねじ４を外し、プレート１の取付角度を円弧状のねじ挿通孔１１１ａとスノーボード３のねじ穴３ａの位置が重なる範囲で調整した後、ねじ４をワッシャ４ａとねじ挿通孔１１１ａとに挿通させて、ねじ穴３ａに螺合し直せばよい。この調整は、例えばスノーボード３に対してリブ１１２ａやスリット１１１ｃの配置、角度等を微調整したい場合等に行われる。
【００４７】
このように本実施の形態のプレートでは、プレート本体１１を底部１１aと、側面部１１ｂと、フランジ部１１ｃとで構成して、凹状にすることにより、従来の所定の厚さを有する円盤状のプレートと比べると、プレート本体１１の底部１１ａの厚さを薄くすることができるので、プレート１の柔軟性が高くなる。また、プレート本体１１の底部１１ａの薄板化によって、ねじ４の長さを短くすることができるので、ねじ４によりプレート１の柔軟性が阻害されることを防止することができる。このようにプレート１の柔軟性が高くなることにともなって、ビンディング２、スノーボード３の柔軟性も高くなり、設計通りの柔軟性を発揮することができ、スノーボード３の滑走性能を向上させることができる。
【００４８】
スノーボード３でターンをして滑走する際には、てこの原理の作用によりスノーボード３をたわませるが、プレート１はスノーボード３とビンディング２とを結合する支点としての役割を果たす。本実施の形態のプレートでは、柔軟性が高いために、支点としてスノーボード３とビンディング２との結合を緩やかにするので、脚の可動域の制限を比較的緩くすることができ、てこの原理の作用を緩やかに抑えながら、滑走中に膝にかかる負担を軽減することができる。また、スキー場においてリフト乗車中に一方の足のみをビンディング２に固定してその締め付けを緩めることで脚の可動域を確保し膝にかかる負担の軽減を図る場合等があったが、本実施の形態のプレートでは、柔軟性が高いために、膝にかかる負担を軽減することができるので、ビンディング２の締め付けを緩めることがないままでリフトに乗車することが可能になる。
【００４９】
また、本実施の形態のプレートでは、上述したように柔軟性が向上したために、プレート１の歯部１２ａとビンディング２の歯部２１ａの噛み合わせが悪くなることを防止できる。従来では柔軟性が劣った円盤状のプレートに対して、ビンディングは比較的柔軟性を有していたために、滑走時にプレートに力が加わると、ビンディングに比較的大きな歪みが生じ、プレートの歯部とビンディングの歯部の噛み合わせが悪化してしまっていた。このようなプレートとビンディングの歯部の噛み合わせの悪化を柔軟性が向上したプレート１では防止することができる。
【００５０】
また、本実施の形態のプレートでは、フランジ部１１ｃの外周縁をプレート１の半径方向の外側に向かって、かつ、斜め上方に凸となる曲面状に形成するようにしたので、この観点からも、スノーボード３による滑走時にプレート１の歯部１２ａとビンディング２の歯部２１ａの噛み合わせを良好に保つことができる。スノーボード３による滑走時には、スノーボード３が中央部分から両端に向かってしなり、このスノーボード３のしなりにともない、プレート１及びビンディング２もしなる。これに伴い、プレート１の歯部１２ａとビンディング２の歯部２１ａの噛み合わせ部分は、プレート１の半径方向及びビンディング２の開口部２ａの半径方向の外側が上がるように傾くことが多い。プレート１のフランジ部１１ｃの外周縁は、上述のように、半径方向の外側に向かって、かつ、斜め上方に凸となる曲面状に形成されているので、このフランジ部１１ｃにより、滑走時に傾いたプレート１の歯部１２ａとビンディング２の歯部２１ａの噛み合わせ部分をプレート１の半径方向の内側に向かって上方から斜め下方へ押さえる力が作用しやすくなる。このためスノーボード３による滑走時にプレート１の歯部１２ａとビンディング２の歯部２１ａの噛み合わせがずれることを防止できる。
【００５１】
また、本実施の形態のプレートでは、スリット１１１ｃを有しているので、柔軟性をより向上させることができ、これにともなってビンディング２、スノーボード３の柔軟性もより向上させることができ、また、プレート１の歯部１２ａとビンディング２の歯部２１ａの噛み合わせが悪くなることをより防止することができる。
【００５２】
また、本実施の形態のプレートでは、周方向の４か所に等間隔に離間されて配置されたリブ１１２ａを有しており、図６に示すように、リブ１１２ａは長手方向が、スノーボード３の長手方向（Ｘ方向）及び幅方向(Ｙ方向)にほぼ一致するように配置されている。このために、スノーボーダーは滑走時において、プレート１の柔軟性を保ったままで、プレート１を介して、スノーボード３へ長手方向（Ｘ方向）及び幅方向(Ｙ方向)に効率的に力を伝達することができる。
【００５３】
滑走する際に、障害物としての雪面の凹凸をスノーボードが吸収して不要なたわみが発生し滑走速度が減少することがあるが、本実施の形態では、リブ１１２ａによりスノーボード３へ長手方向（Ｘ方向）に効率的に力が伝達されるために、雪面の凹凸吸収が減少し不要なたわみの発生を抑えることができ、滑走速度を維持することができる。
【００５４】
また、スノーボードが振動するとターン時の力が拡散的に逃げてしまい、不安定になることがあるが、本実施の形態では、リブ１１２ａによりスノーボード３へ長手方向（Ｘ方向）に効率的に力が伝達されるために、スノーボード３の振動が抑えられターン時の力が逃げにくくなり、ターンが安定する。
【００５５】
また、本実施の形態では、リブ１１２ａによりスノーボード３へ幅方向（Ｙ方向）に効率的に力が伝達されるために、ターンを行う際に、足の力の伝達方向がぶれずに体重移動をコントロールしやすくなるためにターンの精度が向上する。また、無駄な体重移動が少なくなることから、滑走速度が速くなるという効果も生じる。
【００５６】
すなわち、本実施の形態では、ビンディング２、スノーボード３の購入者の企図する本来的な柔軟性及びスノーボード３への足の力の伝達による操作性並びに膝への負担の軽減による快適性を同時に確保することができる。
【００５７】
また、本実施の形態のプレートでは、プレート本体１１の薄板化によって、軽量化を実現することができる。また、本実施の形態のプレートでは、プレート本体１１の材料を純チタン、チタン合金とした場合には、柔軟性、軽量化をより向上させることができる。
【００５８】
（第１の実施形態の第１の変形例）
次に、第１の実施形態の第１の変形例について図７を参照して説明する。第１の変形例では、プレート１の底部１１ａに形成されたリブ１１３ａがＸ状に交差された形状であり、この交差部分である底部１１ａの中央部分に菱形状の孔１１３ｃが形成されている。リブ１１３ａは、スノーボード３の幅方向（Ｙ方向）に長く形成されているので、スノーボーダーは滑走時において、プレート１の柔軟性を保ったままで、プレート１を介して、スノーボード３へ幅方向(Ｙ方向)に効率的に力を伝達することができる。また、プレート１の底部１１ａの中央には菱形状の孔１１３ｃが形成されているので、プレート１の底部１１ａの中央付近は柔軟性が高くなり、これに伴い、底部１１ａの直下のスノーボード３の柔軟性が高くなる。なお、リブ１１３ａは、スノーボード３のどの方向に力を効率的に伝達するかによって、Ｘ状に交差させる角度などの形状を適宜調整する。例えば、スノーボード３の長手方向（Ｘ方向）に力を効率的に伝達したい場合には、リブ１１３ａをＸ方向に長く形成する。
【００５９】
（第１の実施形態の第２の変形例）
第１の実施形態の第２の変形例について図８を参照して説明する。第２の変形例では、プレート１の底部１１ａに２つのリブ１１４ａが、スノーボード３の幅方向(Ｙ方向)に直線状に形成されている。リブ１１４ａは、スノーボード３の幅方向（Ｙ方向）に直線状に形成されているので、スノーボーダーは滑走時において、プレート１の柔軟性を保ったままで、プレート１を介して、スノーボード３へ幅方向(Ｙ方向)に効率的に力を伝達することができる。
【００６０】
（第１の実施形態の第３の変形例）
第１の実施形態の第３の変形例について図９を参照して説明する。第３の変形例では、プレート１の底部１１ａに２つのリブ１１５ａが、スノーボード３の長手方向(Ｘ方向)に直線状に形成されている。リブ１１５ａは、スノーボード３の長手方向（Ｘ方向）に直線状に形成されているので、スノーボーダーは滑走時において、プレート１の柔軟性を保ったままで、プレート１を介して、スノーボード３へ長手方向(Ｘ方向)に効率的に力を伝達することができる。
【００６１】
（第１の実施形態の第４の変形例）
第１の実施形態の第４の変形例について図１０を参照して説明する。第４の変形例では、スリット１１４ｃがプレート１に放射状に設けられている。各スリット１１４ｃは、フランジ部１１ｃ、側面部１１ｂ及び底部１１ａにわたって形成されている。リング１２の上面及び内側面には連続して形成された突起１２ｄが形成されており、この突起１２ｄはスリット１１４ｃに嵌合される。なお、スノーボード３に対して斜め方向に配置された４つのスリット１１４ｃは、ねじ挿通孔１１１ａと連通して形成されており、ねじ挿通孔としての役割も果たしている。また、第４の変形例では、第１の変形例のＸ状に交差された形状のリブ１１３ａと菱形状の孔１１３ｃが形成されている。
【００６２】
スリット１１４ｃは、プレート１に放射状に形成されているので、プレート１のどの方向にも柔軟性を向上させることができ、これにともないビンディング２、スノーボード３のどの方向にも柔軟性を向上させることができ、また、プレート１の歯部１２ａとビンディング２の歯部２１ａの噛み合わせをより良好に保つことができる。
【００６３】
（第１の実施形態の第５の変形例）
第１の実施形態の第５の変形例について図１１を参照して説明する。第５の変形例では、直線状のスリット１１５ｃが、プレート１の底部１１ａに直径方向かつスノーボード３の幅方向（Ｙ方向）に形成されている。なお、第５の変形例では、リブ１１２ａがやや細く形成されている。直線状のスリット１１５ｃは、スノーボード３の幅方向（Ｙ方向）に形成されているので、プレート１を介して、主にスノーボード３の長手方向（Ｘ方向）の柔軟性を向上させる一方で幅方向（Ｙ方向）には効率的に力を伝達させることができる。なお、直線状のスリット１１５ｃは、スノーボード３のどの方向の柔軟性を向上させるかによって、向き等を適宜調整する。例えば、スノーボードの幅方向（Ｙ方向）の柔軟性を高めたい場合には、直線状のスリット１１５ｃを長手方向（Ｘ方向）に形成する。
【００６４】
（第１の実施形態の第６の変形例）
第１の実施形態の第６の変形例について図１２を参照して説明する。第６の変形例では、プレート本体１１の側面部１１ｂに等間隔で４つのスリット１１６ｃが、底部１１ａの中央に円孔１１７ｃが形成されている。リング１２の内側面には、スリット１１６ｃに嵌合する突起１２ｅが形成されている。円孔１１７ｃは、リブ１１２ａの先端まで形成され、プレート本体１１の底部１１ａの径の２／３程度の比較的大きな径で形成されている。プレート本体１１の側面部１１ｂに形成されたスリット１１６ｃは、直接的にはプレート本体１１の側面部１１ｂの柔軟性を高めるので、側面部１１ｂの近くにあるビンディング２の柔軟性を高めるのに主に役立つ。プレート本体１１の底部１１ａに形成された円孔１１７ｃは、直接的には底部１１ａの柔軟性を高めるので、底部１１ａの直下のスノーボード３の柔軟性を高めるのに主に役立つ。
【００６５】
（第１の実施形態の第７の変形例）
第１の実施形態の第７の変形例について図１３を参照して説明する。第７の変形例では、リング１２にスリット１２ｆが形成されている。スリット１２ｆは、リング１２の上面と側面にわたって形成されたスリット１２１ｆと、リング１２の下面と側面にわたって形成されたスリット１２２ｆとが交互に複数並設されて構成されている。なお、スリット１２１ｆは突起１２ｃ上にも形成され、スリット１２２ｆは歯部１２ａ上にも形成されている。スリット１２ｆは、リング１２の周方向の４か所に等間隔に離間されて配設されている。スリット１２ｆの長手方向がスノーボード３の長手方向(Ｘ方向)または幅方向（Ｙ方向）になっている。スリット１２ｆは、リング１２の柔軟性を高めるので、特に直下にあるビンディング２の柔軟性を高めるとともに、リング１２の歯部１２ａとビンディング２の歯部２１ａの噛み合わせをより良好に保つことができる。
【００６６】
（第２の実施形態）
第２の実施形態に係るスノーボードビンディング用プレートについて、図１４を参照して説明する。なお、第２の実施の形態においては、第１の実施形態に係るスノーボードビンディング用プレートと同等の構成要素には同一の符号を付して説明を省略し、第１の実施形態と異なる点について主に説明する。
【００６７】
第２の実施形態のプレート１Ａは、プレート１Ａの半径方向の外側に向かって下方に傾斜して形成された平面状のフランジ部１１ｄを有している。また、プレート１Ａは、第６の変形例のプレート本体１１の側面部１１ｂに形成されたスリット１１６ｃと、リング１２の内側面に形成され、スリット１１６ｃに嵌合する突起１２ｅとを有している。なお、リング１２の上面は傾斜して形成されているが、その傾斜角はフランジ部１１ｄの傾斜角よりも小さい。
【００６８】
本実施の形態では、フランジ部１１ｄがリング１２の上面の傾斜角よりも大きい傾斜角で下方に傾斜して形成されているので、ねじ４を締め付けてプレート１Ａを用いてビンディング２をスノーボード３に取り付けると、図１４（Ｂ）に示すように、フランジ部１１ｄの外周縁付近により、プレート１Ａの歯部１２ａとビンディング２の歯部２１ａの噛み合わせ部分をプレート１の半径方向の内側に向かって斜め下方に押さえる力が働く。したがって、フランジ部１１ｄにより、滑走時に傾いたプレート１Ａの歯部１２ａとビンディング２の歯部２１ａの噛み合わせ部分を押さえる力が働きやすくなり、噛み合わせが悪くなることを防止できる。
【００６９】
（第３の実施形態）
第３の実施形態に係るスノーボードビンディング用プレートについて、図１５を参照して説明する。なお、第３の実施の形態においては、第１または第２の実施形態に係るスノーボードビンディング用プレートと同等の構成要素には同一の符号を付して説明を省略し、第１の実施形態と異なる点について主に説明する。
【００７０】
第３の実施形態では、プレート１Ｂはリング１２を有さず、鋸歯状の歯部１１ｅがフランジ部１１ｄの下面に周方向に連続して一体に形成されている。ビンディング２の開口部２ａの上部に歯部２１ａが形成されている。
【００７１】
側面部１１ｂが半径方向の外側に向かって上方に傾斜したプレート１Ｂは、ねじ４で締め付けてスノーボード３に固定すると、図１５（Ｂ）に示すように、スノーボード３に対してほぼ垂直な内周面を有するビンディング２の開口部２ａに収容される。プレート１Ｂの側面部１１ｂには元の形に戻ろうとする復元力が生じ、それに伴い側面部１１ｂに連続して形成されたフランジ部１１ｄには、歯部１１ｅをビンディング２の歯部２１ａに押圧する力が生じる。このため本実施の形態では、プレート１Ｂの歯部１１ｅとビンディング２の歯部２１ａとの噛み合わせを良好に保つことができる。
【００７２】
なお、ビンディング２の開口部２ａの内周面が開口部２ａの半径方向の外側に向かって上方に傾斜している場合であっても、その傾斜角がプレート１Ｂの側面部１１ｂの傾斜角よりも小さい場合には、プレート１Ｂをビンディング２の開口部２ａに収容すると、側面部１１ｂ及びフランジ部１１ｄに元の形に戻ろうとする復元力が生じる。このためプレート１Ｂの歯部１１ｅとビンディング２の歯部２１ａとの噛み合わせを良好に保つ効果が生じる。
【００７３】
（第４の実施形態）
第４の実施形態に係るスノーボードビンディング用プレートについて、図１６及び図１７を参照して説明する。なお、第４の実施形態においては、第１または第２の実施形態に係るスノーボードビンディング用プレートと同等の構成要素には同一の符号を付し、第３の実施形態と異なる点について主に説明する。第４の実施形態では、プレート１Ｃのフランジ部１１ｄの下面に周方向に連続して一体に形成された鋸歯状の歯部１１ｆの山部には、傾斜面１１１ｆが形成されている。この傾斜面１１１ｆは、歯部１１ｆの最外面の下側の頂点から根本側の最上端までプレート１Ｃの半径方向の内側に向かって上方に傾斜している。
【００７４】
また、ビンディング２の鋸歯状の歯部２２ａの谷部には、プレート１Ｃの歯部１１ｆの傾斜面１１１ｆと当接する傾斜面２２１ａが形成されている。この傾斜面２２１ａは、歯部２２ａの最内面の最上端から最外側の最下部まで開口部２ａの半径方向の外側に向かって下方に傾斜している。なお、プレート１Ｃの側面部１１ｇは底部１１ａに対してほぼ垂直に形成されている。
【００７５】
ねじ４を締め付けてプレート１Ｃを用いてビンディング２をスノーボード３に取り付けると、図１６（Ｂ）に示すように、プレート１Ｃの歯部１１ｆの山部の傾斜面１１１ｆがビンディング２の歯部２２ａの谷部の傾斜面２２１ａに当接され、プレート１Ｃの歯部１１ｆがビンディング２の歯部２２ａをプレート１Ｃの半径方向の内側に向かって斜め下方に押さえる力が働く。このため本実施の形態では、滑走時に傾いたプレート１Ｃの歯部１１ｆとビンディング２の歯部２２ａの噛み合わせを良好に保つことができる。
【００７６】
以上、実施の形態を挙げて本発明を説明したが、本発明は上記各実施形態に限定されるものではなく、上述した変形例以外にも種々変形が可能である。例えば、上記各実施の形態では、様々な種類のリブ１１２ａ，１１３ａ，１１４ａ，１１５ａ、スリット１１１ｃ，１１４ｃ，１１５ｃ，１１６ｃ，１２ｆ、菱形状の孔１１３ｃ，円孔１１７ｃ等を挙げて説明したが、例えば初歩的なターン及びトリック全般並びにスピード競技等のスノーボード３による滑走目的等に応じて、リブ、スリット、孔等の配置、方向、形状、数、組み合わせ等を適宜変更することが可能である。特に、プレートの柔軟性を高めるスリット、孔と、所望の方向にのみプレートを硬くするリブとの配置、組み合わせ等のバランスを考慮するとよい。
【００７７】
また、プレートの半径方向のねじ挿通孔１１１ａより内側に、スリット、孔を配置することにより直下にあるスノーボード３の柔軟性が主に高められ、プレートの半径方向のねじ挿通孔１１１ａより外側にスリットを配置することによりその近くにあるビンディング２の柔軟性が主に高められることを考慮すると、スノーボード３、ビンディング２それぞれの柔軟性を適宜調整することが可能になる。
【００７８】
また、上記各実施形態では、プレートがスリットを有する例について説明したが、スリットを有さなくても、プレートの薄板化によって柔軟性を十分に高めることができる。また、上記各実施形態では、プレートがリブを有する例について説明したが、特にプレートを介してビンディング２及びスノーボード３に所望の方向に力を効率的に伝える目的がない場合等にはリブを設ける必要はない。
【００７９】
また、上記各実施形態では、ワッシャ４ａを用いる例について説明したが、例えばねじ４の頭部の径をねじ挿通孔１１１ａの幅よりも大きくすることによりワッシャ４ａを用いないようにしてもよい。ワッシャ４ａを用いないことにより、プレートの柔軟性をより向上させることができる。
【００８０】
また、上記各実施形態では、プレートに円弧状のねじ挿通孔１１１ａを形成する例について説明したが、ねじ挿通孔１１１ａを直線状に形成するようにしてもよい。ねじ挿通孔１１１ａを直線状にすれば、例えばビンディング２をスノーボード３に取り付ける際の長手方向（Ｘ方向）または幅方向（Ｙ方向）の位置を調整することができる。また、プレートに４つのねじ挿通孔１１１ａが形成された例について説明したが、ねじ挿通孔１１１ａの数は４つに限定されず、例えば３つまたは２つのねじ挿通孔１１１ａを形成するようにしてもよい。ねじ挿通孔１１１ａの数を少なくすると、ねじ４の数も減るので、プレートの柔軟性を高めることが可能になる。
【００８１】
また、上記第３の実施形態では、プレート１Ｂの側面部１１ｂが半径方向の外側に向かって上方に傾斜している例について説明したが、側面部１１ｂを傾斜させずに底部１１ａと垂直になるように形成してもよい。側面部１１ｂを傾斜させない場合であっても、プレート１Ｂは薄板化によって柔軟性が高くなるために、プレート１Ｂの歯部１１ｅとビンディング２の歯部２１ａの噛み合わせが悪くなることを十分に防止することができる。
【００８２】
また、上記第１から第３の実施形態のプレートの歯部１２ａ，１１ｅを第４の実施形態の山部が傾斜面１１１ｆを有する歯部１１ｆにして、かつ、ビンディング２の歯部２１ａを第４の実施形態の谷部が傾斜面２２１ａを有する歯部２２ａにすることにより、プレートの歯部とビンディングの歯部との噛み合わせをより良好に保つようにしてもよい。
【００８３】
また、上記第１から第３の実施形態において、プレートの歯部が半径方向の外側に向かって上方に傾斜しており、ビンディング２の歯部が開口部２ａの半径方向の外側に向かって上方に傾斜している場合であっても、本発明は適用可能である。
【００８４】
また、例えば上記第１の実施形態では、リブ１１２aがプレート１の底部１１ａの周方向の４か所に等間隔に離間されて２つずつ計８つ配置される例について説明したが、リブ１１２ａをプレート１の底部１１ａに放射状に形成するようにしてもよい。リブ１１２ａを放射状に形成すると、スノーボーダーはスノーボード３の全方向に均等に力を伝えやすくなり、例えばターン等のレスポンスがよくなる効果及び滑走速度向上効果が生じる。
【００８５】
また、上記第１の実施形態の第７の変形例では、スリット１２ｆがリング１２の周方向の４か所に等間隔に離間されて配設されている例について説明したが、例えばスリット１２ｆをリング１２の小突起１２ｂが形成されている箇所に放射状に形成してもよいし、スリット１２ｆの配置、方向、形状、数、組み合わせ等を適宜変更することが可能であるのは上述した通りである。
【００８６】
また、上記第１の実施形態の第１の変形例では、リブ１１３ａがＸ状に交差された部分に菱形状の孔１１３ｃが形成される例について説明したが、菱形状の孔１１３ｃは形成せずにリブ１１３ａによる効果を強化してもよい。
【００８７】
また、上記第２の実施形態では、リング１２の上面が傾斜して形成された例について説明したが、リング１２の上面は傾斜させないようにしてもよい。
【００８８】
また、上記各実施形態では、六角穴付きのねじ４を用いる例について説明したが、例えば十字穴付き、すりわり付き、四角穴付き等のねじを用いるようにしてもよい。
【符号の説明】
【００８９】
１，１Ａ，１Ｂ，１Ｃ  スノーボードビンディング用プレート（プレート）
１１  プレート本体
１１ａ  底部
１１１ａ  ねじ挿通孔
１１２ａ，１１３ａ，１１４ａ，１１５ａ  リブ
１１３ｃ  菱形状の孔
１１ｂ，１１ｇ  側面部
１１ｃ，１１ｄ  フランジ部
１１１ｃ，１１４ｃ，１１５ｃ，１１６ｃ，１２ｆ  スリット
１１７ｃ  円孔
１２  リング
１２ａ，１１ｅ，１１ｆ  歯部
１１１ｆ  傾斜面
１２ｃ，１２ｄ，１２ｅ  突起
２  ビンディング
２ａ  開口部
２１ａ，２２ａ  歯部
２２１ａ  傾斜面
３  スノーボード
４  ねじ
【図１】
2018175271.tif 000003
【図２】
2018175271.tif 000004
【図３】
2018175271.tif 000005
【図４】
2018175271.tif 000006
【図５】
2018175271.tif 000007
【図６】
2018175271.tif 000008
【図７】
2018175271.tif 000009
【図８】
2018175271.tif 000010
【図９】
2018175271.tif 000011
【図１０】
2018175271.tif 000012
【図１１】
2018175271.tif 000013
【図１２】
2018175271.tif 000014
【図１３】
2018175271.tif 000015
【図１４】
2018175271.tif 000016
【図１５】
2018175271.tif 000017
【図１６】
2018175271.tif 000018
【図１７】
2018175271.tif 000019